【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段の出力に係る画像データを記録する画像記録手段と、
前記撮像手段の出力から、人物の顔に相当する顔画像を検出する顔画像検出手段と、
前記撮像手段により撮像された画像にフォトデコレーション画像を重ね合わせて表示するフォトデコレーション表示手段と、
を有し、
前記フォトデコレーション表示手段は、前記撮像手段により撮像された画像における前記顔画像検出手段により検出された顔画像上に前記フォトデコレーション画像が重ならないように、前記撮像手段により撮像された画像に前記フォトデコレーション画像を重ね合わせて表示する、
ことを特徴とする撮像装置。
【請求項２】
前記フォトデコレーション表示手段は、前記顔画像検出手段により検出された顔画像の位置を基に、前記フォトデコレーション画像の重ね合わせ位置を決定する、
ことを特徴とする請求項１記載の撮像装置。
【請求項３】
前記フォトデコレーション表示手段は、前記顔画像検出手段により検出された顔画像の大きさを基に、重ね合わせて表示する前記フォトデコレーション画像の大きさを決定する、
ことを特徴とする請求項１記載の撮像装置。
【請求項４】
前記フォトデコレーション表示手段は、前記撮像手段により撮像された画像における前記顔画像検出手段により検出された顔画像の位置の移動に応じて、前記フォトデコレーション画像の重ね合わせ位置を移動させる、
ことを特徴とする請求項１記載の撮像装置。
【手続補正２】
【補正対象書類名】明細書
【補正対象項目名】０００６
【補正方法】変更
【補正の内容】
【０００６】
本発明は、上記実情に鑑み、面倒な位置合わせを必要としなくても簡単に撮影及び表示が行えるフォトデコレーション機能を搭載した撮像装置を提供することを目的とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
上記目的を達成するため、本発明の第１の態様に係る撮像装置は、被写体を撮像する撮像手段と、前記撮像手段の出力に係る画像データを記録する画像記録手段と、前記撮像手段の出力から、人物の顔に相当する顔画像を検出する顔画像検出手段と、前記撮像手段により撮像された画像にフォトデコレーション画像を重ね合わせて表示するフォトデコレーション表示手段と、を有し、前記フォトデコレーション表示手段は、前記撮像手段により撮像された画像における前記顔画像検出手段により検出された顔画像上に前記フォトデコレーション画像が重ならないように、前記撮像手段により撮像された画像に前記フォトデコレーション画像を重ね合わせて表示する、ことを特徴とする。
【手続補正５】
【補正対象書類名】明細書
【補正対象項目名】０００９
【補正方法】変更
【補正の内容】
【０００９】
本発明の第２の態様に係る撮像装置は、上記第１の態様において、前記フォトデコレーション表示手段は、前記顔画像検出手段により検出された顔画像の位置を基に、前記フォトデコレーション画像の重ね合わせ位置を決定する、ことを特徴とする。
【手続補正６】
【補正対象書類名】明細書
【補正対象項目名】００１０
【補正方法】変更
【補正の内容】
【００１０】
本発明の第３の態様に係る撮像装置は、上記第１の態様において、前記フォトデコレーション表示手段は、前記顔画像検出手段により検出された顔画像の大きさを基に、重ね合わせて表示する前記フォトデコレーション画像の大きさを決定する、ことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の第４の態様に係る撮像装置は、上記第１の態様において、前記フォトデコレーション表示手段は、前記撮像手段により撮像された画像における前記顔画像検出手段により検出された顔画像の位置の移動に応じて、前記フォトデコレーション画像の重ね合わせ位置を移動させる、ことを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００８３
【補正方法】変更
【補正の内容】
【００８３】
以上、本発明について詳細に説明したが、本発明は上記実施形態に限定されず、本発明の要旨を逸脱しない範囲において、各種の改良及び変更を行っても良いのはもちろんである。
本発明は、以下に付記する装置、方法、及びプログラムを含む。
（付記１）
被写体を撮像する撮像手段と、
前記撮像手段の出力に係る画像データを記録する画像記録手段と、
前記撮像手段の出力から、人物の顔に相当する顔画像を検出する顔画像検出手段と、
前記撮像手段により撮像された画像にフォトデコレーション画像を重ね合わせて表示するフォトデコレーション表示手段と、
を有し、
前記フォトデコレーション表示手段は、前記撮像手段により撮像された画像における前記顔画像検出手段により検出された顔画像上に前記フォトデコレーション画像が重なるように、前記撮像手段により撮像された画像に前記フォトデコレーション画像を重ね合わせて表示する、
ことを特徴とする撮像装置。
（付記２）
被写体を撮像する撮像手段と、
前記撮像手段の出力に係る画像データを記録する画像記録手段と、
前記撮像手段の出力から、人物の顔に相当する顔画像を検出する顔画像検出手段と、
前記撮像手段により撮像された画像にフォトデコレーション画像を重ね合わせて表示するフォトデコレーション表示手段と、
を有し、
前記フォトデコレーション表示手段は、前記撮像手段により撮像された画像における前記顔画像検出手段により検出された顔画像上に前記フォトデコレーション画像が重ならないように、前記撮像手段により撮像された画像に前記フォトデコレーション画像を重ね合わせて表示する、
ことを特徴とする撮像装置。
（付記３）
前記フォトデコレーション表示手段は、前記顔画像検出手段により検出された顔画像の位置を基に、前記フォトデコレーション画像の重ね合わせ位置を決定する、
ことを特徴とする付記１又は２記載の撮像装置。
（付記４）
前記フォトデコレーション表示手段は、前記顔画像検出手段により検出された顔画像の大きさを基に、重ね合わせて表示する前記フォトデコレーション画像の大きさを決定する、
ことを特徴とする付記１又は２記載の撮像装置。
（付記５）
前記フォトデコレーション表示手段による表示は、撮影待機中に行われる、
ことを特徴とする付記１又は２記載の撮像装置。
（付記６）
前記フォトデコレーション表示手段による表示は、撮影準備中に行われる、
ことを特徴とする付記１又は２記載の撮像装置。
（付記７）
前記フォトデコレーション画像が重ね合わされる、前記撮像手段により撮像された画像は、動画のフレーム画像である、
ことを特徴とする付記１又は２記載の撮像装置。
（付記８）
前記フォトデコレーション表示手段は、前記撮像手段により撮像された画像における前記顔画像検出手段により検出された顔画像の位置の移動に応じて、前記フォトデコレーション画像の重ね合わせ位置を移動させる、
ことを特徴とする付記１又は２記載の撮像装置。
（付記９）
被写体を撮像し、
撮像して得た撮像画像における、人物の顔に相当する顔画像を検出し、
前記撮像画像における前記顔画像上にフォトデコレーション画像が重なるように、前記撮像画像に前記フォトデコレーション画像を重ね合わせて表示する、
ことを特徴とする撮像装置の表示方法。
（付記１０）
被写体を撮像し、
撮像して得た撮像画像における、人物の顔に相当する顔画像を検出し、
前記撮像画像における前記顔画像上にフォトデコレーション画像が重ならないように、前記撮像画像に前記フォトデコレーション画像を重ね合わせて表示する、
ことを特徴とする撮像装置の表示方法。
（付記１１）
被写体を撮像するための撮像機能と、
前記撮像機能の出力を記録するための画像記録機能と、
前記撮像機能の出力から、人物の顔に相当する顔画像を検出するための顔画像検出機能と、
前記撮像機能により撮像された画像における前記顔画像検出機能により検出された顔画像上にフォトデコレーション画像が重なるように、前記撮像機能により撮像された画像に前記フォトデコレーション画像を重ね合わせて表示するフォトデコレーション表示機能と、
を撮像装置のコンピュータに実現させるためのプログラム。
（付記１２）
被写体を撮像するための撮像機能と、
前記撮像機能の出力を記録するための画像記録機能と、
前記撮像機能の出力から、人物の顔に相当する顔画像を検出するための顔画像検出機能と、
前記撮像機能により撮像された画像における前記顔画像検出機能により検出された顔画像上にフォトデコレーション画像が重ならないように、前記撮像機能により撮像された画像に前記フォトデコレーション画像を重ね合わせて表示するフォトデコレーション表示機能と、
を撮像装置のコンピュータに実現させるためのプログラム。